(57)【要約】【課題】建築柱が内部に配置されることに伴うスペース不足やコスト増などの不具合を解消した遊技機設備島を提供する。【解決手段】遊技機設備島２は建築物９内に設置される。島の長手方向ＬＤに沿って配列される第１列の遊技機１ａ及び第２列の遊技機１ｂが背中合わせに配置される。遊技機設備島２は、遊技機１ａ、１ｂが載置される載置部２０を有する。載置部２０は、遊技機１ａ、１ｂを載置可能な前後幅Ｗ２を有し島の長手方向ＬＤに延びる長板状の天板部２２を含む。天板部２２には、天板部２２の遊技機正面側ＳＤ１の端２２ａよりも遊技機裏面側ＳＤ２に凹状の切欠部２１ｈが形成される。切欠部２１ｈが、建築物９を構成する建築柱９０が配置される建築柱配置空間ＳＰ１を形成する。切欠部２１ｈは、長手方向ＬＤにおいて遊技機１ａ（１ｂ）の間に配置されている。【選択図】図２
2020195481.tif 000002
【特許請求の範囲】
【請求項１】
建築物内に設置され、島の長手方向に沿って配列される第１列の遊技機及び第２列の遊技機が背中合わせに配置される遊技機設備島であって、
前記遊技機が載置される載置部を備え、
前記載置部は、前記遊技機を載置可能な前後幅を有し前記島の長手方向に延びる長板状の天板部を含み、
前記天板部には、前記天板部の遊技機正面側の端よりも遊技機裏面側に凹状の切欠部が形成されており、
前記切欠部が、前記建築物を構成する建築柱が配置される建築柱配置空間を形成し、
前記切欠部は、前記長手方向において前記遊技機の間に配置されている、遊技機設備島。
【請求項２】
前記切欠部は、前記天板部における前記遊技機裏面側の端に開いている、請求項１に記載の遊技機設備島。
【請求項３】
前記切欠部は、前記第１列又は前記第２列のいずれか一方の列の遊技機を載置する前記天板部に形成され、前記第１列又は第２列のいずれか他方の列の遊技機を載置する前記天板部に形成されていない、請求項１又は２に記載の遊技機設備島。
【請求項４】
前記長手方向に沿った前記切欠部の長さは、１２５ｍｍ以上且つ３００ｍｍ以下である、請求項１〜３のいずれかに記載の遊技機設備島。
【請求項５】
前記載置部は、前記切欠部の縁部に沿って島の短手方向に延び且つ前記天板部を補強する第１補強部を有する、請求項１〜４のいずれかに記載の遊技機設備島。
【請求項６】
前記載置部は、島の長手方向に沿って延び且つ前記天板部を補強する第２補強部を備え、
前記切欠部は、平面視で前記第２補強部よりも遊技機裏面側に形成されている、請求項５に記載の遊技機設備島。
【請求項７】
前記載置部は、島の長手方向に沿って延び且つ前記天板部を補強する第３補強部を備え、
前記第３補強部は、前記切欠部に対応して一部が切り欠かれまたは切断された状態である、請求項５又は６に記載の遊技機設備島。
【請求項８】
前記島の長手方向に延び、遊技媒体を前記遊技機に供給する又は前記遊技機から回収する遊技媒体搬送路を備え、
前記第１列の遊技機及び第２列の遊技機は、前記遊技媒体搬送路を共用している、請求項１〜７のいずれかに記載の遊技機設備島。
【請求項９】
前記建築柱は、前記遊技媒体搬送路よりも島の短手方向の外側に配置されている、請求項８に記載の遊技機設備島。
【請求項１０】
前記島の長手方向に延び、紙葉類を搬送する紙葉類搬送路と、
前記第１列の遊技機の間に配置される第１列の紙葉類処理装置と、
前記第２列の遊技機の間に配置される第２列の紙葉類処理装置と、を備え、
前記第１列の紙葉類処理装置及び前記第２列の紙葉類処理装置は、前記紙葉類搬送路を共用している、請求項１〜９のいずれかに記載の遊技機設備島。
【請求項１１】
前記建築柱は、前記紙葉類搬送路よりも島の短手方向の外側に配置されている、請求項１０に記載の遊技機設備島。
【請求項１２】
前記建築柱は、前記遊技機の最も裏側端よりも遊技機正面側に配置されている、請求項１〜１０のいずれかに記載の遊技機設備島。
【請求項１３】
請求項１〜１０のいずれかに記載の遊技機設備島と、
下弦連結部を介して連結され且つ水平方向に沿って配置される複数の下弦材と、上弦連結部を介して連結され且つ水平方向に沿って配置される複数の上弦材と、前記下弦連結部及び前記上弦連結部に連結され且つ水平方向に対して傾斜する斜弦材と、を有し、前記下弦材により平面視で正方形のグリッドが複数個×複数個形成される立体トラス構造体と、
前記立体トラス構造体を支持するための複数の建築柱と、を備え、
前記複数の建築柱の少なくとも一部の建築柱は、前記遊技機設備島の前記切欠部に配置されている、建築物。
【請求項１４】
前記複数の建築柱は、平面視で前記立体トラス構造体の前記グリッドの最外辺にある前記下弦連結部を支える複数の第１建築柱と、平面視で前記最外辺よりも内側にある前記下弦連結部を支える複数の第２建築柱と、を有し、
前記グリッドの最外辺において前記第１建築柱同士を接続する筋交いが設けられており、
前記第２建築柱の少なくとも１つは、前記遊技機設備島の前記切欠部に配置されている、請求項１３に記載の建築物。
【請求項１５】
前記複数の建築柱の少なくとも一部の建築柱は、等間隔に並んでおり、
前記遊技機設備島は複数設けられ、前記建築柱が含まれる遊技機設備島の少なくとも一部の遊技機設備島同士は等間隔に並んでおり、
前記建築柱が含まれない遊技機設備島の島幅と、前記建築柱が含まれる遊技機設備島の島幅とが同じである、請求項１３又は１４に記載の建築物。
【発明の詳細な説明】
【技術分野】
【０００１】
本発明は、遊技機設備島及びそれを備えた建築物に関する。
【背景技術】
【０００２】
複数の遊技機が島の長手方向に沿って配列され、第１列の遊技機と第２列の遊技機とが背中合わせに配置され、各々の遊技機に対してメダルやパチンコ玉等の遊技媒体を供給及び回収するための遊技媒体搬送路が設けられ、遊技機設備島が形成される。遊技機設備島は、遊技機を載置する載置部を有し、第１列の遊技機を載置する載置部と第２列の遊技機を載置する載置部とが背中合わせで配置される。
【０００３】
遊技場建物空間には、建築物を構成する建築柱が配置されるが、遊技機設備島の間に形成される遊技者の動線空間に建築柱が配置されると死角が発生し問題がある。そのため、死角を無くすための手段を講じる必要があり、建築柱を遊技機島設備内に配置する要求がある。
【０００４】
特許文献１には、遊技機設備島の内部に建築柱を配置したことが開示されている。
【先行技術文献】
【特許文献】
【０００５】
【特許文献１】特開２０１７−１７６７６８号公報
【発明の概要】
【発明が解決しようとする課題】
【０００６】
しかしながら、特許文献１に記載のように第１列の遊技機と第２列の遊技機の間に建築柱を配置することになるので、建築柱がない設備島に比べて島の短手方向の幅が大きくなってしまい、所望の台数の遊技機を設置するためには建物を大きくしなければならず、建物を大きくできなければ、設置する遊技機の数を減らすか、遊技者の動線空間を狭くしなければならない。
【０００７】
また、パチンコ玉やメダル等の遊技媒体を遊技機に供給するため又は遊技機から回収するための搬送路が遊技機設備島に設けられる場合がある。搬送路は、平面視にて島の長手方向に直線状に延びており、背中合わせに配置される第１列の遊技機と第２列の遊技機が１つの搬送路を共用する構成が一般的である。しかしながら、建築柱を設備島内部に配置した特許文献１の構造では、平面視にて第１列から第２列へ向かって島の短手方向に見た場合に、第１列の遊技機、第１列の遊技機用の搬送路、建築柱、第２列の遊技機用の搬送路、第２列の遊技機という順序で配置されることになる。本来であれば、搬送路は一つで足りるが、建築柱が存在するために、搬送路が２つ必要となり、店舗にとってコスト増を招来する。
【０００８】
なお、ここでは、遊技媒体の搬送路を例に挙げたが、例えば紙幣を搬送する紙葉類搬送路も同様のことがいえる。
【０００９】
本発明の目的は、建築柱が内部に配置されることに伴うスペース不足やコスト増などの不具合を解消した遊技機設備島及びそれを備えた建築物を提供することである。
【課題を解決するための手段】
【００１０】
本発明の遊技機設備島は、建築物内に設置され、島の長手方向に沿って配列される第１列の遊技機及び第２列の遊技機が背中合わせに配置される遊技機設備島であって、
前記遊技機が載置される載置部を備え、
前記載置部は、前記遊技機を載置可能な前後幅を有し前記島の長手方向に延びる長板状の天板部を含み、
前記天板部には、前記天板部の遊技機正面側の端よりも遊技機裏面側に凹状の切欠部が形成されており、
前記切欠部が、前記建築物を構成する建築柱が配置される建築柱配置空間を形成し、
前記切欠部は、前記長手方向において前記遊技機の間に配置されている。
【００１１】
このように、建築柱が配置される建築柱配置空間を形成する切欠部が島の長手方向において遊技機の間に配置されており、切欠部が遊技機を載置するための天板部に形成されているので、島の短手方向及び上下方向を通る面に投影した場合に遊技機と当該遊技機を載置する天板部に形成された切欠部に配置される建築柱とをオーバーラップさせ、島の短手方向の寸法を減少させることが可能となる。
【図面の簡単な説明】
【００１２】
【図１】遊技機設備島の内部構造を示す斜視図
【図２】（ａ）遊技機設備島の正面図、（ｂ）図２におけるＡ１−Ａ１部位断面図
【図３】載置部を示す斜視図
【図４】切欠部が形成された載置部の内部構造を示す斜視図
【図５Ａ】本実施形態の長板部及び天板部を示す平面図
【図５Ｂ】変形例の長板部及び天板部を示す平面図
【図５Ｃ】変形例の長板部及び天板部を示す平面図
【図６Ａ】遊技媒体搬送路と遊技機との接続状態を二点鎖線で示した図
【図６Ｂ】紙葉類搬送路と紙葉類処理装置との接続状態を二点鎖線で示した図
【図７】図２（ａ）におけるＡ２−Ａ２部位断面図
【図７Ａ】天板部及び長板部を示す断面図
【図７Ｂ】変形例の天板部及び長板部を示す断面図
【図８】図２（ａ）におけるＡ３−Ａ３部位断面図
【図９】切欠部の周辺構造を示す平面図、正面図及び側面図
【図９Ａ】変形例の切欠部の周辺構造を示す平面図、正面図及び側面図
【図１０】建築物を構成する立体トラス構造体を模式的に示す平面図及び側面図
【図１１】建築物の一部を示す側面図
【図１２】トラス構造体と建築柱と遊技機設備島の関係を示す平面図
【図１３Ａ】島柱部と載置部の接続を示す側面図
【図１３Ｂ】島柱部を示す斜視図
【図１３Ｃ】島柱部と載置部の接続を示す拡大斜視図
【図１４】変形例の載置部と建築柱の固定構造を示す斜視図
【図１５】変形例の載置部と建築柱と遊技媒体搬送路とを示す平面図
【発明を実施するための形態】
【００１３】
以下、本発明の一実施形態の遊技機設備島及びそれを備えた建築物について、図面を参照して説明する。
【００１４】
＜遊技機設備島２＞
図１は、遊技機設備島の内部構造を示す斜視図である。図２（ａ）は、遊技機設備島の正面図である。図２（ｂ）は、図２におけるＡ１−Ａ１部位断面図である。
【００１５】
図１、図２（ａ）及び図２（ｂ）に示すように、遊技機設備島２は、建築物内に配置され、遊技機１ａ（１ｂ）が載置される載置部２０を有する。同図に示すように、島の長手方向ＬＤに沿って配列される第１列の遊技機１ａ及び第２列の遊技機１ｂが背中合わせに配置される。第１列の遊技機１ａを載置する載置部２０と第２列の遊技機１ｂを載置する載置部２０とが背中合わせで配置されている。
【００１６】
載置部２０は、図１及び図３に示すように、遊技機を載置可能な前後幅Ｗ２を有し、島の長手方向ＬＤに延びテーブルとなる長板状の天板部２２を含む。本実施形態では、天板部２２に長板部２１が載置され、長板部２１に遊技機が載置されるが、長板部２１は省略可能である。長板部２１は、遊技機を載置可能な前後幅Ｗ１を有し、島の長手方向ＬＤに延びる長板状に形成されている。天板部２２の前後幅Ｗ２は、長板部２１の前後幅Ｗ１よりも大きい。遊技機が載置可能な幅（Ｗ１、Ｗ２）とは、少なくとも１００ｍｍあればよい。載置部２０は、載置部２０の長手方向ＬＤの両端に配置される側板２３と、天板部２２の下方において遊技機正面側ＳＤ１に配置される正面化粧板２４と、天板部２２の下方において遊技機裏面側ＳＤ２に配置される裏板２５と、を有する。天板部２２、側板２３、正面化粧板２４及び裏板２５により載置部２０の一部が箱状に形成されている。
【００１７】
図７Ａは、天板部２２及び長板部２１の断面図を示す。図７Ａに示す遊技機設備島に載置される遊技機は、遊技球を排出するパチンコ機である。図７Ａに示すように、天板部２２の遊技機正面側ＳＤ１（遊技者側）の端２２ａに沿って遊技球の落下を防止するための落下防止部２２ｘが設けられている。落下防止部２２ｘは、天板部２２の端２２ａ（縁）に突起を形成する部材である。落下防止部２２ｘは、天板部２２と一体形成され、ステンレス製などの金属製であることが多い。ところが、遊技機の取り外しを行うにあたり、落下防止部２２ｘの突起が遊技機の取り外しの妨げになる。そこで、図７Ａに示すように、天板部２２の上に、遊技機を載置するための長板部２１を設けている。長板部２１の高さは、落下防止部２２ｘの突起高さと略同じ又は落下防止部２２ｘの突起高さよりも高くなるようにしており、これにより、長板部２１の上に載置された遊技機を遊技機正面側ＳＤ１にスライドさせても落下防止部２２ｘに干渉しにくく又は干渉せず、パチンコ機の取り外し作業を容易にすることが可能となる。なお、長板部２１の上に更に、長板部２１と同形状の座板やスペーサを設ける場合があるが、座板やスペーサは長板部２１に含まれると考えてもよい。
【００１８】
図７Ｂは、変形例の天板部２２の断面図を示す。図７Ｂに示す遊技機設備島に載置される遊技機は、メダルを使用するスロットマシン（回胴式遊技機）や、所定数の遊技球を循環させて使用する封入式遊技機であり、遊技機の遊技機正面側ＳＤ１に遊技球又はメダル等の遊技媒体が出ることがない。よって、スロットマシン（回胴式遊技機）や封入式遊技機を設置する遊技機設備島では、図７Ｂに示すように、天板部２２に落下防止部２２ｘを設ける必要がないため、遊技機の取り外しを容易にする長板部２１を省略可能である。なお、図７及び図７Ａに示すように天板部２２の上に長板部２１が設けられている場合には、長板部２１の遊技機正面側ＳＤ１の端２１ａに遊技機の下部正面を合わせるように遊技機が配置されるため、長板部２１の遊技機正面側ＳＤ１の端２１ａは遊技機設置の目印になる。一方、図７Ｂに示すように天板部２２の上に長板部２１を設けない場合には、天板部２２に遊技機を設置するための目印（線や色などのマーク）を設けることが好ましい。長板部２１が無くても遊技機の位置決めを容易に実現でき、作用効率を向上させることが可能となる。
【００１９】
図１及び図１３Ａ〜Ｃに示すように、載置部２０の島の長手方向ＬＤの両端には、床面ＦＬに設けられた島柱部３が配置されている。載置部２０は、隣接する２つの島柱部３に掛け渡された状態で島柱部３に固定される。載置部２０が２つの島柱部３に架橋する構造であるので、載置部２０の下方に空間を設けることが可能となる。具体的には、図１３Ａ〜Ｃに示すように、島柱部３は、床面ＦＬにアンカーボルトｖ１で固定されるベース３０と、ベース３０に対してボルトｖ２で取り付けられる柱本体部３１と、を有する。ベース３０は、床面ＦＬに沿うベース底面及びベース底面から起立するベース起立部を有するＬ字状部位を有する。ベース起立部には柱本体部３１を固定するためのボルト孔が形成されている。柱本体部３１は、平面視でＬ字状に形成され、強度が確保されている。柱本体部３１の底部には、長孔が形成されており、この長孔によりベース３０に対して上下方向の取り付けの高さ位置を変更可能に構成されている。対をなす柱本体部３１の間には、島柱架橋部３３が架橋され、島柱架橋部３３は柱本体部３１に溶接固定されている。島柱架橋部３３には、突出用を変更可能な押しボルトｖ３が設けてあり、押しボルトｖ３をベース３０のベース底面に接触するようにして、柱本体部３１の荷重をボルトｖ２だけでなく、押しボルトｖ３でも負担するように構成されている。柱本体部３１の底部には、横方向に延びて載置部２０（側板２３）を載置するための載置部支持部３２が形成されている。載置部支持部３２は、上方へ突出する位置決め用突起３２ａを有する。位置決め用突起３２ａは、載置部２０の底部（側板２３の底部）に形成された溝２３ａ（図３、４参照）に挿入され、載置部２０に対する位置決めがなされる。柱本体部３１には、上下方向に沿った板状支持部３４（図１３Ｂでは非図示）が横方向に突出しており、載置部２０の側板２３には対応するスリット（図示せず）が形成されており、板状支持部３４をスリットに挿入することによって載置部２０が柱本体部３１に固定される。
【００２０】
島柱部３の上部には、遊技機の上方に配置される上部ユニット４が固定されている。上部ユニット４には、表示装置４０（図２（ａ）参照）等が取り付けられる。図１、図７及び図８に示すように、上部ユニット４は、２つの島柱部３に架橋する状態で固定される横桟躯体４１ａ、４１ｂと、横桟躯体４１ａに載置される島上カバー４２と、を有する。島上カバー４２には、凹状の切欠４３ｈが形成されており、切欠４３ｈが上部ユニット４において建築柱配置空間ＳＰ２を形成している。上部ユニット４には、遊技媒体供給路５ａが設けられているが、遊技媒体供給路５ａを設けずに紙葉類搬送路６を設けてもよい。上部ユニット４は、内部に設けられた遊技媒体供給路５ａ又は紙葉類搬送路６の点検やメンテナンス時に開状態にすることが可能な開閉パネル４４を有する。建築柱９０は、開閉パネル４４よりも内部に配置されている。また、横桟躯体４１ａ、４１ｂに切欠４３ｈを設ける場合であっても、建築柱９０に対応して横桟躯体４１ａ、４１ｂの一部のみに凹状の切欠４３ｈを設けるので、構造強度に与える影響を低減可能となる。また、切欠４３ｈと建築柱９０に間に隙間が無いように両者が接触するように切欠４３ｈを形成すれば、横桟躯体４１ａ、４１ｂに切欠４３ｈを設けても、構造強度に与える影響を減少させることができる。なお、開閉パネル４４を設けずに、遊技機正面側ＳＤ１が開口した棚部を形成し、遊技者の荷物やスロットマシン用のメダルを収容するための収容容器を置くことができるようにしてもよい。棚部は一台の遊技機毎に区画してもよいし、複数台の遊技機毎に区画してもよい。棚部は建築柱９０を避けて形成することが好ましい。
【００２１】
本実施形態では、載置部２０を２つの島柱部３に架橋する状態で固定しているが、この構造に限定されない。例えば、載置部２０に対して下方に延びる足部を設け、足部を床面ＦＬに固定し、載置部２０を島柱部３に固定せずに支持するように構成してもよい。この場合、島柱部３を床面ＦＬに固定せず、載置部２０を足場として固定するように構成してもよい。
【００２２】
図３に示すように、本実施形態の載置部２０は、一対の側板２３の間を架け渡された４つの桟である第２補強部２６ａ、２６ｂ、第３補強部２６ｃ、２６ｄを有する。第２補強部２６ａは、天板部２２と正面化粧板２４の交差部に配置され、天板部２２を補強すると共に正面化粧板２４の上部を補強する。第２補強部２６ｂは、正面化粧板２４の下部を補強する。第３補強部２６ｃは、天板部２２と裏板２５の交差部に配置され、天板部２２を補強すると共に裏板２５の上部を補強する。第３補強部２６ｄは、裏板２５の下部を補強する。左右の側板２３と、第２補強部２６ａ、２６ｂ、第３補強部２６ｃ、２６ｄとは連結されている。天板部２２と第２補強部２６ｃとは連結されている。天板部２２側板２３の縁は、第２補強部２６ａ、２６ｂ、第３補強部２６ｃ、２６ｄが嵌合可能に切り欠かれており、切り欠きを形成せずに連結する構造に比べて剛性を強化してある。正面化粧板２４と第２補強部２６ａ、２６ｂとが連結されているため、長板部２１又は天板部２２にかかる垂直方向の荷重を島の長手方向ＬＤに効果的に分散させ左右の側板２３に逃がすことができる。同様に、裏板２５と第３補強部２６ｃ、２６ｄとが連結されているため、長板部２１又は天板部２２にかかる垂直方向の荷重を島の長手方向ＬＤに効果的に分散させ左右の側板２３に逃がすことができる。
なお、本実施形態において載置部２０が木製等の非金属で形成されているが、金属製で形成されていてもよい。また、本実施形態では、第２補強部２６ａ、２６ｂ、第３補強部２６ｃ、２６ｄを設けているが、第２補強部２６ａ、２６ｂ、第３補強部２６ｃ、２６ｄの少なくとも一部を省略してもよい。第２補強部２６ａ、２６ｂ、第３補強部２６ｃ、２６ｄの全てを省略することも可能である。
【００２３】
図２（ａ）に示すように、遊技機設備島２は、建築物を構成する建築柱９０が内部に配置可能に構成されている。建築柱９０が遊技機設備島２の内部に配置されることにより、遊技機設備島２の短手方向ＳＤの寸法（島幅Ｄ１）が増大することを避けるために、次の手段を講じている。なお、島幅Ｄ１は、図１３Ａに示すように、第１列の遊技機１ａを載置する載置部２０の正面化粧板２４と、第２列の遊技機１ｂを載置する載置部２０の正面化粧板２４との間を意味する。なお、建築柱９０が遊技機設備島２の内部に配置されるとは、載置部２０を構成する正面側の化粧板（正面化粧板２４、化粧板２２４）よりも内側に配置されることを意味する。
【００２４】
＜切欠部＞
図１及び図４に示すように、長板部２１及び天板部２２には、凹状の切欠部２１ｈが形成されている。切欠部２１ｈは、天板部２２の遊技機正面側ＳＤ１の端２２ａよりも遊技機裏面側ＳＤ２に配置されており、更に、切欠部２１ｈは、長板部２１の遊技機正面側ＳＤ１の端２１ａよりも遊技機裏面側ＳＤ２に配置されている。図１、図２（ａ）、図２（ｂ）及び図４に示すように、切欠部２１ｈは、建築物９を構成する建築柱９０が配置される建築柱配置空間ＳＰ１を形成する。切欠部２１ｈは、長手方向ＬＤにおいて遊技機１ａ（１ｂ）の間に配置されている。
【００２５】
切欠部２１ｈをこのように形成すれば、島の短手方向ＳＤ及び上下方向を通る面に投影した場合に遊技機１ａ（１ｂ）と建築柱９０とがオーバーラップするので、島の短手方向ＳＤの幅を減少させることが可能となる。なお、切欠部２１ｈと細い建築柱９０により、島内に建築柱９０が配置されない遊技機島設備と同等の島幅Ｄ１（４５０ｍｍ以上６００ｍｍ以下）の実現が可能になる。
【００２６】
本実施形態では、図５Ａに示すように、切欠部２１ｈは、長板部２１における遊技機裏面側ＳＤ２の端２１ｂに開いているが、これに限定されない。例えば、図５Ｂに示すように、切欠部２１ｈは、長板部２１の遊技機正面側ＳＤ１の端２１ａよりも遊技機裏面側ＳＤ２に配置されていれば、長板部２１における島の長手方向ＬＤの端２１ｃに開いていてもよい。この場合は、図５Ｂに示すように、２つの長板部２１の突き合わせ部位の双方に切欠部２１ｈを設けてもよいし、一方のみに切欠部２１ｈを設けてもよい。切欠部２１ｈの位置について、図５Ｂに示す位置よりも図５Ａに示す位置にした方が、建築柱９０の位置の自由度を向上させることが可能となる。なお、図５Ｃに示す変形例のように、１つの切欠部２１ｈが、長板部２における遊技機裏面側ＳＤ２の端２１ｂと、長板部２１における島の長手方向ＬＤの端２１ｃとの双方に開くように形成することも可能である。
【００２７】
切欠部２１ｈは、第１列又は第２列のいずれの列の遊技機を載置する長板部２１に形成されていてもよいが、図２（ｂ）に示すように、切欠部２１ｈは、第１列の遊技機１ａを載置する長板部２１には形成されず、第２列の遊技機１ｂを載置する長板部２１のみに形成されている。このようにすれば、長板部２１を含む載置部２０の部品の共通化が図れ、コスト減を図ることが可能となる。勿論、切欠部２１ｈは、第２列の遊技機１ｂを載置する長板部２１に形成されず、第１列の遊技機１ａを載置する長板部２１のみに形成されていてもよい。
【００２８】
図４及び図５Ａに示すように、長手方向ＬＤに沿った切欠部２１ｈの長さＬ１は、１２０ｍｍ以上且つ３００ｍｍ以下であることが好ましい。この寸法であれば、従来の太い建築柱に比べて、遊技機の配置数が減少することを避けることができると共に、長板部２１の剛性低下を抑制可能となる点において有利である。更に長手方向ＬＤに沿った切欠部２１ｈの長さＬ１は、１２０ｍｍ以上且つ２４０ｍｍ以下であることが好ましい。更に長さＬ１は、１２５ｍｍ以上且つ１５０ｍｍ以下であることが好ましい。
【００２９】
＜遊技媒体搬送路＞
図６Ａは、遊技媒体搬送路５と遊技機１ａ、１ｂとの接続状態を二点鎖線で示した図である。図７は、図２（ａ）におけるＡ２−Ａ２部位断面図である。図８は、図２（ａ）におけるＡ３−Ａ３部位断面図である。図６Ａ、図７及び図８に示すように、遊技機設備島２は、パチンコ玉又はメダル等の遊技媒体を搬送する遊技媒体搬送路５を有する。遊技媒体搬送路５は、図６Ａにて二点鎖線で示すように、平面視で島の長手方向ＬＤに延びている。本実施形態では、遊技媒体搬送路５は、平面視にて島の長手方向ＬＤに沿って直線状に延びているが、遊技媒体搬送路５が平面視にて島の長手方向ＬＤに延びていれば、直線状に限定されない。図６Ａに示すように、第１列の遊技機１ａと第２列の遊技機１ｂは、遊技媒体搬送路５を共用している。すなわち、第１列の遊技機１ａに接続される遊技媒体搬送路と、第２列の遊技機１ｂに接続される遊技媒体搬送路とが別々に設けられていない。このように遊技媒体搬送路５が第１列の遊技機１ａと第２列の遊技機１ｂに共用される構成であるので、遊技媒体搬送路５が冗長化せず、島の短手方向ＳＤの寸法の低減及びコスト減を図ることが可能となる。
【００３０】
本実施形態では、遊技媒体搬送路５は、図７及び図８に示すように、遊技媒体を遊技機１ａ、１ｂに供給する遊技媒体供給路５ａと、遊技媒体を遊技機１ａ、１ｂから回収する遊技媒体回収路５ｂと、を有する。遊技媒体供給路５ａは、遊技機１ａ、１ｂの上方に配置される。遊技媒体回収路５ｂは、遊技機１ａ、１ｂの下方に配置されている。図示していないが、遊技媒体供給路５ａは第１列の遊技機１ａと接続されると共に第２列の遊技機１ｂと接続されている。遊技媒体回収路５ｂは第１列の遊技機１ａと接続されると共に第２列の遊技機１ｂと接続されている。図示の遊技機１ａ、１ｂは、遊技球を用いるパチンコ機であり、遊技媒体搬送路５を水平方向に対して傾斜させることにより、遊技球の自重で転動させ、搬送を実現する。メダルを用いるパチスロ機の場合には、遊技媒体搬送路５がコンベア装置となる。
【００３１】
図７に示すように、建築柱９０は、遊技媒体搬送路５よりも島の短手方向ＳＤの外側に配置されている。なお、遊技媒体搬送路５の一部が切り欠かれることにより、遊技媒体搬送路５よりも島の短手方向ＳＤの外側に建築柱９０が配置されている構成も含む。この配置によれば、遊技媒体搬送路５を直線状にでき、搬送路として複数種類の形状を用意する場合に比べて部品の共通化が図れ、部品コストを低減可能となる。なお、図８に示すように、遊技媒体搬送路５（遊技媒体供給路５ａ）は、島の短手方向ＳＤの中央部に配置されている。これに対し、図７に示すように、建築柱９０との干渉を避けるために、遊技媒体搬送路５（遊技媒体供給路５ａ）の位置を島の短手方向ＳＤの中央からオフセットしてもよい。
【００３２】
＜紙葉類搬送路＞
図６Ｂは、紙葉類搬送路６と紙葉類処理装置６０、６１との接続状態を二点鎖線で示した図である。紙葉類処理装置６０、６１は、紙幣等の紙葉類を処理（受付、払出）する装置であり、遊技機１ａ、１ｂの側方に配置されている。図６Ｂにおいて二点鎖線で示すように、遊技機設備島２は、平面視にて島の長手方向ＬＤに延び、紙幣等の紙葉類を搬送する紙葉類搬送路６を有する。本実施形態では、紙葉類搬送路６は、平面視にて島の長手方向ＬＤに沿って直線状に延びているが、紙葉類搬送路６が平面視にて島の長手方向ＬＤに延びていれば、直線状に限定されない。図６Ｂに示すように、第１列の遊技機１ａの間に配置される第１列の紙葉類処理装置６０と、第２列の遊技機１ｂの間に配置される第２列の紙葉類処理装置６１は、紙葉類搬送路６を共用している。すなわち、第１列の紙葉類処理装置６０に接続される紙葉類搬送路と、第２列の紙葉類処理装置６１に接続される紙葉類搬送路とが別々に設けられていない。このように紙葉類搬送路６が第１列の紙葉類処理装置６０と第２列の紙葉類処理装置６１に共用される構成であるので、紙葉類搬送路６が冗長化せず、島の短手方向ＳＤの寸法の低減及びコスト減を図ることが可能となる。
【００３３】
図７及び図８に示すように、建築柱９０は、紙葉類搬送路６よりも島の短手方向ＳＤの外側に配置されている。この配置によれば、紙葉類搬送路６を直線状にでき、搬送路として複数種類の形状を用意する場合に比べて部品の共通化が図れ、部品コストを低減可能となる。
【００３４】
図７に示すように、遊技機１ｂの遊技機裏面側には、基板と基板を覆うケースが設けられており、遊技機１ｂの最も裏側端１ｅは、ケースの背面のうちの最も裏側の端を意味する。同図に示すように、建築柱９０は、遊技機１ｂの最も裏側端１ｅよりも遊技機正面側ＳＤ１に配置されている。このように建築柱９０を配置すれば、島の短手方向ＳＤにおける遊技機１ａと遊技機１ｂの間の空間に建築柱９０が干渉しないことになるので、当該空間を有効利用できる。例えば、図７では、紙葉類搬送路６を配置して、有効利用している。紙葉類搬送路６以外にも遊技媒体搬送路５を配置することも可能である。
【００３５】
＜載置部２０の補強構造＞
図４に示す例では、長板部２１及び天板部２２に切欠部２１ｈを形成しているため、（１）第３補強部２６ｃ、２６ｄが切断されるが、第３補強部２６ｃ、２６ｄは左右の側板２３のうち一方の側板２３との連結が維持され、第３補強部２６ｄは、天板部２２と連結された第３補強部２６ｃと裏板２５を介して連結され、（２）第２補強部２６ａ、２６ｂは切り欠かれずに左右の側板２３との連結状態が維持される。上記（１）及び（２）により、載置部２０の著しい剛性低下を抑制可能となる。
しかし、長期にわたり天板部２２が垂直方向の荷重を受け続けると、切欠部２１ｈに向けて天板部２２が撓む等、載置部２０の剛性が低下するおそれが考えられる。そこで、図９に示すように、載置部２０に、縦板である第１補強部２７を設けることが好ましい。剛性補強の観点では図９に示すように第１補強部２７を設けることが好ましいが、剛性低下が問題とならない材料を用いている場合には、図４に示すように第１補強部２７を設けないことも可能である。図９の平面図において遊技機１ａ（１ｂ）及び紙葉類処理装置６０（６１）のうち長板部２１に載置される部位を交差斜線で示している。同図に示すように、縦板である第１補強部２７は、切欠部２１ｈの縁部に沿って島の短手方向ＳＤに沿って延びており、長板部２１及び天板部２２を補強する。これにより、第１補強部２７は、載置部２０を島の短手方向ＳＤに補強している。この構成によれば、天板部２２に作用する垂直方向の荷重を側板２３、島柱部３及び床面ＦＬの順に逃がすことができる。また、左右の側板２３の間から第１補強部２７が見えないので、第１補強部２７に対して装飾を施す必要がない。さらに、第２補強部２６ｂと第３補強部２６ｄが床面ＦＬよりも上方に浮いているので、遊技者の足元空間を形成可能にしている。第１補強部２７は、島の短手方向ＳＤのみに延びていてもよいが、本実施形態では、第１補強部２７は、島の短手方向ＳＤだけではなく、鉛直方向にも延びており、４つの桟である第２補強部２６ａ、２６ｂ、第３補強部２６ｃ、２６ｄに接触している。これにより、第１補強部２７は、長板部２１及び天板部２２に係る鉛直方向の荷重を受け、４つの桟である第２補強部２６ａ、２６ｂ、第３補強部２６ｃ、２６ｄを介して左右の側板２３に荷重を逃がすことが可能となる。
【００３６】
図９の平面図に示すように、載置部２０は、島の長手方向ＬＤに沿って延び且つ長板部２１を補強する第２補強部２６ａ、２６ｂを有する。切欠部２１ｈは、平面視で第２補強部２６ａ、２６ｂよりも遊技機裏面側ＳＤ２に形成されている。第２補強部２６ａ、２６ｂ自体は切り欠かれていない。このように、切欠部２１ｈと第２補強部２６ａ、２６ｂの位置関係を設定することにより、切欠部２１ｈを形成しても、第２補強部２６ａ、２６ｂにより長板部２１の著しい剛性低下を抑制可能となる。この構造及び効果は、図４に示す第１補強部２７がない構造においても同じことがいえる。なお、第２補強部として２つの補強部２６ａ、２６ｂを設けているが、いずれか一方でもよい。
【００３７】
図９の平面図に示すように、載置部２０は、島の長手方向ＬＤに沿って延び且つ長板部２１を補強する第３補強部２６ｃ、２６ｄを有する。第３補強部２６ｃ、２６ｄは、切欠部２１ｈに対応して一部が切り欠かれまたは切断された状態である。しかし、第１補強部２７が補強するので、長板部２１の剛性低下を抑制可能となる。
【００３８】
図９の変形例を図９Ａに示す。図９Ａに示すように、正面化粧板２４が長板部２１の遊技機正面側ＳＤ１の端２１ａよりも遊技機裏面側ＳＤ２に位置する場合には、正面化粧板２４が切り欠かれており、その代わりに、第１補強部２７が正面化粧板２４よりも遊技機正面側ＳＤ１へ延びている。そして、第１補強部２７の遊技機正面側ＳＤ１の端部同士を化粧板２２４で閉塞している。この構成であっても、建築柱９０は、載置部２０の正面側の化粧板（正面化粧板２４、化粧板２２４）よりも内側に配置されているので、建築柱９０は遊技機設備島２の内部に配置されていることになる。
【００３９】
補強部の組み合わせとしては、第１補強部２７、第２補強部２６ａ、２６ｂ、第３補強部２６ｄが挙げられる。その他には、第１補強部２７、第２補強部２６ｂ、第３補強部２６ｃ、２６ｄが挙げられる。その他には、第１補強部２７、第３補強部２６ｃ、２６ｄが挙げられる。上記実施形態では、第２補強部２６ａ、２６ｂを上下に設けているが、これに限定されず、正面視でロの字状になる補強部を設けることが好ましい。ロの字状の補強部でも、天板部２２に作用する垂直方向の荷重を側板２３、島柱部３及び床面ＦＬの順に逃がすことができるからである。ロの字状の補強部であれば、第２補強部２６ａ、２６ｂと正面化粧板２４を連結した構造と略同じ強度とすることができる。また、ロの字状の補強部に対して正面化粧板２４を着脱自在に取り付けてもよい。具体的構造の一例として、ロの字状の補強部を構成する上側の横桟の下面及び下側の横桟の上面にスリット溝を設け、双方のスリット溝に対して正面化粧板２４を襖のように上げ落とし構造で着脱自在にすることが挙げられる。
【００４０】
変形例として、図１４に示すように、切欠部２１ｈと建築柱９０の隙間から載置部２０内に遊技球などの遊技媒体が落下し滞留することを防止するために、上面隙間埋め固定部５０と、側面隙間埋め固定部５１とを設けることが好ましい。上面隙間埋め固定部５０及び側面隙間埋め固定部５１はボルトやビス、釘、ベルト拘束具などの固定手段で建築柱９０に固定される。具体的に上面隙間埋め固定部５０は、図１４及び図１５に示すように、切欠部２１ｈと建築柱９０の隙間の全てから遊技媒体が落下することを防止できる。図１５では、建築柱９０の４辺のうち、島の短手方向ＳＤに沿った２辺及び島の長手方向ＬＤに沿った１辺の隙間が埋められている。上面隙間埋め固定部５０は、建築柱９０の太さに合わせて予め用意されたものでもよいし、図１４及び図１５に示すように、建築柱９０の島長手方向ＬＤに沿った辺を埋める部材と、建築柱９０の島短手方向ＳＤに沿った辺を埋める部材とを別体とし、建築柱９０の太さに応じて取り付けることができるようになっていてもよい。本実施形態において、上面隙間埋め固定部５０及び側面隙間埋め固定部５１は、木製の載置部２０に対してネジ、ビス、釘などで固定され、建築柱９０に対しては建築柱９０を被覆する耐火被覆材に対してビスなどで固定されるが、これに限定されない。例えば耐火被覆材が、吹き付け、シート、巻き付け、塗料などで形成されている場合には、ビスを用いずに建築柱９０の周囲をベルトなどの環状拘束具で固定することが好ましく、耐火被覆材がけい酸カルシウム板や石膏ボードなどの強度があるものは、環状拘束具だけでなくネジ、ビス及び釘などを利用可能である。なお、上面隙間埋め固定部５０及び側面隙間埋め固定部５１を設けずに、パテなどのコーキング剤（充填剤）で隙間を埋めることも可能である。
【００４１】
隙間埋め固定部５０、５１を、ネジ、ビス、釘、針（タッカー）で固定する場合には、耐火被覆材の外側（外周側）に設けた部材に固定するようにしてもよい。当該部材の例としては、耐火被覆材を隠す装飾目的の化粧部材や隙間埋め固定部５０、５１を取り付けるための専用部材が挙げられる。当該部材が床または天井に固定されていれば、隙間埋め固定部５０、５１を介して当該部材と載置部２０を接続することで、切欠部２１ｈの補強にすることが可能となる。勿論、この構造は、建築柱９０により、横桟躯体４１ａ、４１ｂの一部が切り欠かれたり、切断されたりする場合にも同様に適用可能となる。
【００４２】
図１４及び図１５に示す例では、上面隙間埋め固定部５０及び側面隙間埋め固定部５１は、載置部２０と建築柱９０の双方に固定されているが、これに限定されず、載置部２０と建築柱９０の少なくともいずれか一方に固定されていればよい。また、隙間を埋める機能がなくても、載置部２０と建築柱９０とを固定するようにしてもよい。同様に、上部ユニット４（例えば横桟躯体４１ａ、４１ｂ）と建築柱９０とを固定してもよい。載置部２０、上部ユニット４と建築柱９０の固定態様は３パターンあり、（１）建築柱９０に対して載置部２０及び上部ユニット４の両方を固定する第１パターン、（２）建築柱９０に対して載置部２０は固定するが、上部ユニット４は固定しない第２パターン、（３）建築柱９０に対して載置部２０を固定せず、上部ユニット４を固定する第３パターン、が挙げられる。
【００４３】
また、図１５に示すように、載置部２０の内側に遊技媒体搬送路５（遊技媒体回収路５ｂ）を配置している場合で、載置部２０及び建築柱９０の一部が遊技媒体搬送路５を構成する場合、側面隙間埋め固定部５１が遊技媒体搬送路５を流れる遊技媒体（遊技球）を誘導することになる。建築柱９０にゴムなどの弾性部材を被覆しておけば、建築柱９０を遊技球から保護可能となる。
【００４４】
＜建築物＞
次に、上記遊技機設備島２が設けられている建築物９について説明する。
【００４５】
図１０は、建築物９を構成する立体トラス構造体９２を模式的に示す平面図及び側面図である。図１１は、建築物９の一部を示す側面図である。図１２は、トラス構造体９２と建築柱９０、９１と遊技機設備島２の関係を示す平面図である。
【００４６】
図１０、図１１及び図１２に示すように、建築物９は、少なくとも１つの遊技機設備島２と、立体トラス構造体９２と、立体トラス構造体９２を支持する複数の建築柱９０、９１と、を有する。図１１に示すように、立体トラス構造体９２は、上部構造９４を支持する。上部構造９４は、屋根構造であるが、これに限定されず、二階等の床を構成する床構造であってもよい。
【００４７】
立体トラス構造体９２は、図１０に示すように、下弦連結部９２４を介して連結され且つ水平方向に沿って配置される複数の下弦材９２１と、上弦連結部９２５を介して連結され且つ水平方向に沿って配置される複数の上弦材９２２と、下弦連結部９２４及び上弦連結部９２５に連結され且つ水平方向に対して傾斜する斜弦材９２３と、を有する。図１０は、見やすくするために、下弦材９２１同士を連結する下弦連結部９２４を丸で示し、上弦材９２２同士を連結する上弦連結部９２５をひし形で示している。同図に示すように下弦材９２１及び上弦材９２２は、直線状であり、Ｘ軸及びＹ軸に沿って配置される。斜弦材９２３は、直線状であり、Ｘ軸、Ｙ軸及びＺ軸の全てに対して傾斜して配置されている。図１０では、下弦材９２１が５×４のグリッド（矩形）を形成する立体トラス構造体９２を例示しているが、発明を説明するための一例であり、これに限定されない。図１２は、本実施形態の建築物９の下弦材９２１の配置を示す平面図である。同図に示すように、立体トラス構造体９２は、下弦材９２１が１５個×１５個のグリッド（正方形）を形成する。一つのグリッドは、３０００ｍｍ×３０００ｍｍの正方形である。これは例示であり、限定されない。グリッドは複数個×複数個となる。下弦材９２１の交点に建築柱９０、９１が配置される。図１２に示すように、複数の建築柱９０、９１の少なくとも一部の建築柱９０が、遊技機設備島２の切欠部２１ｈに配置されている。
【００４８】
図１２に示すように、複数の建築柱９０、９１は、第１建築柱９１と、第２建築柱９０と、を有する。第１建築柱９１は、平面視で立体トラス構造体９２のグリッドの最外辺にある下弦連結部９２４を支える。第２建築柱９０は、平面視で立体トラス構造体９２のグリッドの最外辺よりも内側にある下弦連結部９２４を支える。第２建築柱９０の少なくとも１つが遊技機設備島２の切欠部２１ｈに配置される。
【００４９】
図１１に示すように、建築物９は、建築柱９１と、建築柱９１に支持される立体トラス構造体９２（下弦材９２１、上弦材９２２、斜弦材９２３、下弦連結部９２４及び上弦連結部９２５）と、立体トラス構造体９２に支持される上部構造９４と、を有する。下弦連結部９２４ａは、単一の柱材で構成された建築柱９１に載置され支持されて固定され、下弦連結部９２４ｂ，９２４ｃは、梁、建築柱９１及び筋交い９３で構成された柱部に載置され支持されて固定される。筋交い９３は、平面視で立体トラス構造体９２のグリッドの最外辺においてにおいて第１建築柱９１同士を接続する。
【００５０】
グリッドの最外辺にある第１建築柱９１と筋交い９３とが、立体トラス構造体９２に作用する鉛直方向の荷重及び水平方向の荷重を負担するので、第２建築柱９０は鉛直方向の荷重のみを負担すればよく、第２建築柱９０を細くでき、遊技機設備島を小型化又はコスト低減が可能となっている
【００５１】
図１２に示すように、建築物には、建築柱９０が含まれる遊技機設備島２（２ａ）と、建築柱９０が含まれない遊技機設備島２（２ｂ）とから成る遊技機設備島２群が配置されている。遊技機設備島２群において、建築柱９０が含まれる遊技機設備島２（２ａ）は、建築柱９０が含まれない遊技機設備島２（２ｂ）よりも少ない。複数の建築柱９０のうち少なくとも一部の建築柱９０は、等間隔に並んでおり、建築柱９０が含まれる遊技機設備島２（２ａ）の少なくとも一部の遊技機設備島２（２ａ）同士も等間隔に並んでおり、建築柱９０が含まれない遊技機設備島２（２ｂ）の島幅と、建築柱９０が含まれる遊技機設備島２（２ａ）の島幅とが同じであることが好ましい。建築物には、複数の遊技機設備島群が配置されている。このような配置パターンであれば、設置可能な遊技機１ａ、１ｂの数を減らさずに通路幅を確保でき、店舗全体として店舗空間内に建築柱９０がない建築物と同様のレイアウトを実現することが可能となる。
【００５２】
以上のように、本実施形態の遊技機設備島２は、
建築物９内に設置され、島の長手方向ＬＤに沿って配列される第１列の遊技機１ａ及び第２列の遊技機１ｂが背中合わせに配置される遊技機設備島２であって、
遊技機１ａ、１ｂが載置される載置部２０を備え、
載置部２０は、遊技機１ａ、１ｂを載置可能な前後幅Ｗ２を有し島の長手方向ＬＤに延びる長板状の天板部２２を含み、
天板部２２には、天板部２２の遊技機正面側ＳＤ１の端２２ａよりも遊技機裏面側ＳＤ２に凹状の切欠部２１ｈが形成されており、
切欠部２１ｈが、建築物９を構成する建築柱９０が配置される建築柱配置空間ＳＰ１を形成し、
切欠部２１ｈは、長手方向ＬＤにおいて遊技機１ａ（１ｂ）の間に配置されている。
【００５３】
このように、建築柱９０が配置される建築柱配置空間ＳＰ１を形成する切欠部２１ｈが島の長手方向ＬＤにおいて遊技機１ａ（１ｂ）の間に配置されており、切欠部２１ｈが遊技機１ａ（１ｂ）を載置するための天板部２２に形成されているので、島の短手方向ＳＤ及び上下方向を通る面に投影した場合に遊技機１ａ（１ｂ）と当該遊技機１ａ（１ｂ）を載置する天板部２２に形成された切欠部２１ｈに配置される建築柱９０とをオーバーラップさせ、島の短手方向ＳＤの寸法を減少させることが可能となる。
【００５４】
図５Ａに示す実施形態のように、切欠部２１ｈは、天板部２２における遊技機裏面側ＳＤ２の端２２ｂに開いていることが好ましい。
【００５５】
この構成によれば、切欠部２１ｈが天板部２２の長手方向ＬＤの端に開く構造（図５Ｂ）に比べて、建築柱９０の位置の自由度を向上させることが可能となる。
【００５６】
図２（ｂ）に示す実施形態のように、切欠部２１ｈは、第１列又は第２列のいずれか一方の列の遊技機１ｂを載置する天板部２２に形成され、第１列又は第２列のいずれか他方の列の遊技機１ａを載置する天板部２２に形成されていないことが好ましい。
【００５７】
この構成によれば、長板部２１を含む載置部２０の部品の共通化が図れ、コスト減を図ることが可能となる。
【００５８】
図４及び図５Ａに示す実施形態のように、前記長手方向に沿った前記切欠部の長さは、１２５ｍｍ以上且つ３００ｍｍ以下であることが好ましい。
【００５９】
この寸法であれば、従来の太い建築柱に比べて、遊技機の配置数が減少することを避けることができると共に、長板部２１の剛性低下を抑制可能となる点において有利である。
【００６０】
図９に示す実施形態のように、載置部２０は、切欠部２１ｈの縁部に沿って島の短手方向ＳＤに延び且つ天板部２２を補強する第１補強部２７を有することが好ましい。
【００６１】
この構成によれば、切欠部２１ｈにより弱くなった載置部２０を第１補強部２７により島の短手方向ＳＤに補強することができる。
【００６２】
図９に示す実施形態のように、載置部２０は、島の長手方向ＬＤに沿って延び且つ天板部２２を補強する第２補強部２６ａ、２６ｂを備え、切欠部２１ｈは、平面視で第２補強部２６ａ、２６ｂよりも遊技機裏面側ＳＤ２に形成されていることが好ましい。
【００６３】
この構成によれば、切欠部２１ｈを形成しても、第２補強部２６ａ、２６ｂにより天板部２２の著しい剛性低下を抑制可能となる。
【００６４】
図９に示す実施形態のように、載置部２０は、島の長手方向ＬＤに沿って延び且つ長板部２１を補強する第３補強部２６ｃ、２６ｄを備え、第３補強部２６ｃ、２６ｄは、切欠部２１ｈに対応して一部が切り欠かれまたは切断された状態であることが好ましい。
【００６５】
この構成によれば、第３補強部２６ｃ、２６ｄが切り欠き又は切断された状態であるが、第１補強部２７が補強するので天板部２２の剛性低下を抑制可能となる。
【００６６】
図６Ａ、図７及び図８に示す実施形態のように、島の長手方向ＬＤに延び、遊技媒体を遊技機１ａ、１ｂに供給する又は遊技機１ａ、１ｂから回収する遊技媒体搬送路５を備え、第１列の遊技機１ａ及び第２列の遊技機１ｂは、遊技媒体搬送路５を共用していることが好ましい。
【００６７】
この構成によれば、遊技媒体搬送路５を共用する構成であるので、遊技媒体搬送路５が冗長化せず、コスト削減及び島寸法の増大を抑制可能となる。
【００６８】
図６Ａ、図７及び図８に示す実施形態のように、建築柱９０は、遊技媒体搬送路５よりも島の短手方向ＳＤの外側に配置されている。
【００６９】
この構成であれば、遊技媒体搬送路５を直線状にでき、搬送路として複数種類の形状を用意する場合に比べて部品の共通化を図ることができ、部品コスト削減を図ることが可能となる。
【００７０】
図６Ｂ、図７及び図８に示す実施形態のように、島の長手方向ＬＤに延び、紙葉類を搬送する紙葉類搬送路６と、第１列の遊技機１ａの間に配置される第１列の紙葉類処理装置６０と、第２列の遊技機１ｂの間に配置される第２列の紙葉類処理装置６１と、を備え、第１列の紙葉類処理装置６０及び第２列の紙葉類処理装置６１は、紙葉類搬送路６を共用していることが好ましい。
【００７１】
このように、紙葉類搬送路６を共用する構成であるので、紙葉類搬送路６が冗長化せず、紙葉類搬送路６として複数種類の形状を用意する場合に比べて部品の共通化を図ることができ、部品コスト削減及び必要スペースの増大を抑制可能となる。
【００７２】
図２（ｂ）及び図７に示す実施形態のように、建築柱９０は、紙葉類搬送路６よりも島の短手方向ＳＤの外側に配置されていることが好ましい。
【００７３】
この構成であれば、紙葉類搬送路６を直線状にでき、搬送路として複数種類の形状を用意する場合に比べて部品の共通化を図ることができ、部品コスト削減を図ることが可能となる。
【００７４】
図７に示す実施形態のように、建築柱９０は、遊技機１ｂの最も裏側端１ｅよりも遊技機正面側ＳＤ１に配置されていることが好ましい。
【００７５】
この構成であれば、島の短手方向ＳＤにおける遊技機１ａと遊技機１ｂの間の空間に建築柱９０が干渉しないことになるので、当該空間を有効利用できる。例えば、遊技媒体搬送路５、紙葉類搬送路６等を配置可能となる。
【００７６】
図１０、図１１及び図１２に示す本実施形態の建築物９は、
上記の遊技機設備島２と、
下弦連結部９２４を介して連結され且つ水平方向に沿って配置される複数の下弦材９２１と、上弦連結部９２５を介して連結され且つ水平方向に沿って配置される複数の上弦材９２２と、下弦連結部９２４及び上弦連結部９２５に連結され且つ水平方向に対して傾斜する斜弦材９２３と、を有し、下弦材９２１により平面視で正方形のグリッドが複数個×複数個形成される立体トラス構造体９２と、
立体トラス構造体９２を支持するための複数の建築柱９０、９１と、を備え、
複数の建築柱９０、９１の少なくとも一部の建築柱９０は、遊技機設備島２の切欠部２１ｈに配置されていることが好ましい。
【００７７】
このように、建築柱９０、９１で支える構造が立体トラス構造体９２であるので、一般的な構造よりも立体トラス構造体９２が軽いため、建築柱９０、９１を細くすることができ、遊技機設備島２を小型化又はコスト低減が可能となる。
【００７８】
本実施形態では、前記複数の建築柱は、平面視で前記立体トラス構造体の前記グリッドの最外辺にある前記下弦連結部を支える複数の第１建築柱と、平面視で前記最外辺よりも内側にある前記下弦連結部を支える複数の第２建築柱と、を有し、前記グリッドの最外辺において前記第１建築柱同士を接続する筋交いが設けられており、前記第２建築柱の少なくとも１つは、前記遊技機設備島の前記切欠部に配置されていることが好ましい。
【００７９】
この構成によれば、グリッドの最外辺にある第１建築柱と筋交いとが、立体トラス構造体に作用する鉛直方向の荷重及び水平方向の荷重を負担するので、第２建築柱は鉛直方向の荷重のみを負担すればよく、第２建築柱を細くでき、遊技機設備島を小型化又はコスト低減が可能となる。
【００８０】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００８１】
例えば、本実施形態において遊技機設備島２は、遊技媒体搬送路５を有するが、遊技媒体搬送路５を省略することが可能である。また、遊技機設備島２は、紙葉類搬送路６を有するが、紙葉類搬送路６を省略することが可能である。
【００８２】
図９の例では、第１補強部２７、第２補強部２６ａ、２６ｂ及び第３補強部２６ｃ、２６ｄが設けられているが、省略することも可能である。例えば、図４に示すように、第１補強部２７を設けずに、第２補強部２６ａ、２６ｂ又は第３補強部２６ｃ、２６ｄの少なくともいずれかを設けることが挙げられる。さらに、第１補強部２７のみを設けるのでもよく、第１補強部２７と第２補強部２６ａ、２６ｂを設けるのでもよく、第１補強部２７と第３補強部２６ｃ、２６ｄを設けることが挙げられる。第１補強部２７のみを設ける場合、第１補強部２７の高さ（垂直方向）は、側板２３の高さと同じである。垂直方向の荷重は第１補強部２７を介して直接床面方向へ逃がすことができる。
【００８３】
上記の各実施形態で採用している構造を他の任意の実施形態に採用することは可能である。各部の具体的な構成は、上述した実施形態のみに限定されるものではなく、本発明の趣旨を逸脱しない範囲で種々変形が可能である。
【符号の説明】
【００８４】
１ａ、１ｂ  遊技機
２      遊技機設備島
２０    載置部
２１ｈ  切欠部
２２    天板部
２６ａ、２６ｂ  第２補強部
２６ｃ、２６ｄ  第３補強部
２７    第１補強部
５      遊技媒体搬送路
６      紙葉類搬送路
６０、６１  紙葉類処理装置
９      建築物
９０    建築柱（第２建築柱）
９１    第１建築柱
９２    立体トラス構造体
９２１  下弦材
９２２  上弦材
９２４  下弦連結部
９２５  上弦連結部
９３    筋交い
【図１】
2020195481.tif 000003
【図２】
2020195481.tif 000004
【図３】
2020195481.tif 000005
【図４】
2020195481.tif 000006
【図５Ａ】
2020195481.tif 000007
【図５Ｂ】
2020195481.tif 000008
【図５Ｃ】
2020195481.tif 000009
【図６Ａ】
2020195481.tif 000010
【図６Ｂ】
2020195481.tif 000011
【図７】
2020195481.tif 000012
【図７Ａ】
2020195481.tif 000013
【図７Ｂ】
2020195481.tif 000014
【図８】
2020195481.tif 000015
【図９】
2020195481.tif 000016
【図９Ａ】
2020195481.tif 000017
【図１０】
2020195481.tif 000018
【図１１】
2020195481.tif 000019
【図１２】
2020195481.tif 000020
【図１３Ａ】
2020195481.tif 000021
【図１３Ｂ】
2020195481.tif 000022
【図１３Ｃ】
2020195481.tif 000023
【図１４】
2020195481.tif 000024
【図１５】
2020195481.tif 000025